(57)【要約】【課題】  適切なセンター消去を行い、かつ有効画像データは出力することができる画像処理装置を提供する。【解決手段】  原稿の中央部分の読み取り画像データを消去する幅を記憶する記憶手段２１２と、原稿の中央部分の読み取り画像データを消去するセンター消去手段２０２と、読み取り画像データの一定面積の平均値を求める平均値算出手段２０５と、原稿の中央部分での平均値が最大になる位置を検知する最大位置検知手段２０６と、記憶された中央部分の読み取り画像データを消去する幅および平均値が最大になる位置を用いてセンター消去手段の消去開始位置と消去終了位置を制御する制御手段２１０とを備えた画像処理装置。【選択図】        図２
2005303635.tif 000002
【特許請求の範囲】
【請求項１】
原稿の中央部分の読み取り画像データを消去するセンター消去手段と、該センター消去手段により消去する幅を記憶する記憶手段と、読み取り画像データの一定面積の平均値を求める平均値算出手段と、原稿の中央部分での平均値が最大になる位置を検知する最大位置検知手段と、記憶された中央部分の読み取り画像データを消去する幅および平均値が最大になる位置を用いて前記センター消去手段の消去開始位置と消去終了位置を制御する制御手段とを備えたことを特徴とする画像処理装置。
【請求項２】
原稿の中央部分の読み取り画像データを消去するセンター消去手段と、該センター消去手段により消去する幅を記憶する記憶手段と、読み取り画像データの１ライン分の平均値を求める平均値算出手段と、原稿の中央部分での平均値が最大になる位置を検知する最大位置検知手段と、記憶された中央部分の読み取り画像データを消去する幅および平均値が最大になる位置を用いて前記センター消去手段の消去開始位置と消去終了位置を制御する制御手段とを備えたことを特徴とする画像処理装置。
【請求項３】
原稿の中央部分の読み取り画像データを消去する幅を記憶する記憶手段と、読み取り画像データの１ライン分の平均値を求める平均値算出手段と、画像データから１ライン分の平均値を減算する平均値減算手段と、原稿の中央部分での平均値が最大になる位置を検知する最大位置検知手段と、記憶された中央部分の読み取り画像データを消去する幅および平均値が最大になる位置を用いて消去開始位置と消去終了位置を制御する制御手段とを備えたことを特徴とする画像処理装置。
【発明の詳細な説明】
【技術分野】
【０００１】
本発明は、ディジタル複写機、スキャナ装置、プリンタ装置、ファクシミリ装置、またはこれらの機能を兼ね備えたディジタル複合機などの画像処理装置に関し、特に中央に綴じ部を有するブック型原稿を読み取る技術に関する。
【背景技術】
【０００２】
中央に綴じ部を有するブック型原稿を読み取る場合、ブック型原稿に厚みがあるため中央部が読み取り装置から離れて、その部分の読み取り画像データが黒くなってしまう。そのため中央に綴じ部を有するブック型原稿を読み取る場合は、中央部分の画像データを消去するために、その消去幅を指定して強制的に白くするというセンター消去技術がある（例えば特許文献１参照）。
【特許文献１】特開平７−２３４５５５号公報
【発明の開示】
【発明が解決しようとする課題】
【０００３】
従来のセンター消去では、原稿サイズ検知などで決定された一定のサイズに対して中央位置を算出して、その中央位置を中心にして指定されている消去幅で消去するため、原稿の状態によらず常に固定された中央位置で消去が行われる。
しかしブック型原稿は、その厚みのため読み取るページによって中央位置は異なり、左に開くブック型原稿では１ページ目の中央位置は、原稿サイズから決定された中央位置より左側にずれ、最終ページの中央位置は、反対に右側にずれる。このように読み取るページごとに異なる中央位置に対して、常に固定された中央位置で消去を行うと、消去が不完全になるという問題がある。
また、従来のセンター消去では、原稿サイズ検知などで決定された一定のサイズに対して中央位置を算出して、その中央位置を中心にして指定されている消去幅で消去するため、ブック型原稿の中央付近に存在する有効な画像データを消去してしまうという問題がある。
本発明は、係る課題に鑑み、適切なセンター消去を行い、かつ有効画像データは出力することができる画像処理装置を提供することを目的とする。
【課題を解決するための手段】
【０００４】
上記目的を達成するために、請求項１記載の発明は、原稿の中央部分の読み取り画像データを消去するセンター消去手段と、該センター消去手段により消去する幅を記憶する記憶手段と、読み取り画像データの一定面積の平均値を求める平均値算出手段と、原稿の中央部分での平均値が最大になる位置を検知する最大位置検知手段と、記憶された中央部分の読み取り画像データを消去する幅および平均値が最大になる位置を用いて前記センター消去手段の消去開始位置と消去終了位置を制御する制御手段とを備えたことを特徴とする。
請求項２記載の発明は、原稿の中央部分の読み取り画像データを消去するセンター消去手段と、該センター消去手段により消去する幅を記憶する記憶手段と、読み取り画像データの１ライン分の平均値を求める平均値算出手段と、原稿の中央部分での平均値が最大になる位置を検知する最大位置検知手段と、記憶された中央部分の読み取り画像データを消去する幅および平均値が最大になる位置を用いて前記センター消去手段の消去開始位置と消去終了位置を制御する制御手段とを備えたことを特徴とする。
請求項３記載の発明は、原稿の中央部分の読み取り画像データを消去する幅を記憶する記憶手段と、読み取り画像データの１ライン分の平均値を求める平均値算出手段と、画像データから１ライン分の平均値を減算する平均値減算手段と、原稿の中央部分での平均値が最大になる位置を検知する最大位置検知手段と、記憶された中央部分の読み取り画像データを消去する幅および平均値が最大になる位置を用いて消去開始位置と消去終了位置を制御する制御手段とを備えたことを特徴とする。
【発明の効果】
【０００５】
本発明では、読み取るページごとに異なる中央位置に対して、ページごとに中央位置を計算して、最適なセンター消去を行うことができる。
また、読み取るページごとに異なる中央位置に対して、画像データが最も黒くなる位置を中央位置として計算し、最適なセンター消去を行うことができる。
また、画像データの黒くなる量に応じた消去を行い、センター消去対象領域においても有効な画像データがあった場合、有効画像データは出力することができる。
【発明を実施するための最良の形態】
【０００６】
以下、図面を参照して、本発明の実施形態を詳細に説明する。
図１は本発明の実施形態に係る画像処理装置の概略ブロック図である。画像入力部１０１は、ディジタル複写機、ディジタルファクシミリのスキャナに相当し、原稿を読み取り入力画像データとして画像処理部１０２に送る。
画像処理部１０２は、入力された画像データに対してＭＴＦフィルタ処理、マスク処理、γ変換処理、階調処理などの各種画像処理を行い画像出力部１０３に送る。画像出力部１０３は、ディジタル複写機のプリンタに相当し、画像処理後の画像データを紙にプリント出力する。
制御部１０４は、装置の全体制御を行う。画像入力部１０１に対しては、スキャナの動作制御を行い、画像処理部１０２に対しては、ＭＴＦフィルタ処理、マスク処理、γ補正処理、階調処理などの各種画像処理の処理に用いるパラメータの設定を行い、画像出力部１０３に対しては、プリンタの動作制御を行い、操作部１０５に対しては各種情報の表示制御や動作モードの入力制御を行う。操作部１０５は、使用者が設定する動作モードやコピースタートの指示の入力に用いられる。
図２は本発明の実施形態に係る画像処理装置の詳細ブロック図である。画像処理部１０２を詳細に示している。画像処理部１０２は、画像入力部１０１でスキャンされた画像データに対してフィルタ処理を行うＭＴＦフィルタ処理部２０１、指定された領域を消去するマスク処理部２０２、出力画像データの濃度調整を行うγ補正処理部２０３、階調処理部２０４、入力された画像データの領域ごとの平均値を計算する平均値算出部２０５、平均値算出部２０５からの値が最大になる位置を検知する最大位置検知部２０６を備える。
制御部１０４は、装置全体の制御を実行するＣＰＵ２１０、制御プログラムが格納されているＲＯＭ２１１、制御プログラムが一時的に使用するＲＡＭ２１２を備える。各装置間のデータのやりとりは内部システムバス２１３によって行われる。
【０００７】
次に画像データの処理の流れについて説明する。画像入力部１０１で読み取られた画像データは、ＭＴＦフィルタ処理部２０１で強調処理が行われ、マスク処理部２０２で指定された領域が消去され、γ変換処理部２０３で出力画像の濃度調整が行われ、階調処理部２０４で、画像出力部１０３で出力に適した階調を持つ画像データに処理される。ＭＴＦフィルタ処理部２０１、γ変換処理部２０３、階調処理部２０４は従来技術と同等なので詳細説明は省略する。
画像入力部１０１で読み取られた画像データの平均値を計算する平均値差算出部２０５を説明する。図３は平均値算出部２０５のブロック図である。画像入力部１０１で読み取られた画像データは、加算器３０１でＦ／Ｆ３０２に記憶されている値と加算され、Ｆ／Ｆ３０２に記憶される。Ｆ／Ｆ３０２は、ライン同期信号により１ラインにごとにクリヤされる。この動作により１ライン分の画像データが入力されるとＦ／Ｆ３０２には、その画像データの合計が記憶された状態になる。
除算器３０３は、Ｆ／Ｆ３０２に記憶されている値を１ライン分の画素数で除算する。この動作により除算器３０３からは１ライン分の画像データの平均値が出力される。除算器３０３が出力する１ライン平均値は、最大位置検知部２０６へ送られる。また請求項３の発明に対応する実施例では、同時にマスク処理部２０２へも送られる。
【０００８】
平均値算出部２０５からの１ライン平均値が最大になるライン位置を検知する最大位置検知部２０６を説明する。図４は最大値検知部２０６のブロック図である。平均値算出部２０５からの１ライン平均値は、Ｆ／Ｆ４０６に記憶されている値とコンパレータ４０４で比較される。コンパレータ４０４は、Ｆ／Ｆ４０６に記憶している値よりも平均値算出部２０５からの１ライン平均値の方が大きい場合に「１」を出力する。
副走査カウンタ４０１は、フレーム同期信号がＣＬＲ（クリヤ）に入力され、フレームごとにカウント値が０になる。ライン同期はＥＮ（イネーブル）に入力され、ラインごとにカウントアップ動作が行われる。よって副走査カウンタ４０１は、副走査のライン数を出力する。
副走査カウンタ４０１からの副走査のライン数は、コンパレータ４０３に入力される。コンパレータ４０３は、システムバス２０９からの開始ライン位置（図６のＳ）および終了ライン位置（図６のＥ）と副走査のライン数を比較して、副走査ライン数が、開始ライン位置以上かつ終了ライン位置以下の時に「１」を出力する。よってコンパレータ４０３が「１」を出力するのは、副走査ライン数が、開始ライン位置から終了ライン位置までの範囲内にある時である。
コンパレータ４０３とコンパレータ４０４の出力はＡＮＤ４０５によって論理積が求められ、Ｆ／Ｆ４０２のＥＮおよびＦ／Ｆ４０６のＥＮに送られる。ＡＮＤ４０５の出力が「１」になるのは、２つのコンパレータの出力がともに「１」の場合だけなので、平均値算出部２０５からの１ライン平均値の方が大きく、かつ副走査ライン数が、開始ライン位置から終了ライン位置までの範囲内にある時である。
この時、Ｆ／Ｆ４０２とＦ／Ｆ４０６に記憶されている値が更新される。Ｆ／Ｆ４０２は、副走査カウンタ４０１からの出力が入力されている。よってＦ／Ｆ４０２は、ＡＮＤ４０５の出力が「１」になったときの副走査ライン数が記憶される。Ｆ／Ｆ４０４は、平均値算出２０７からの１ライン平均値が入力されている。よってＦ／Ｆ４０６は、ＡＮＤ４０５の出力が「１」になったときの１ライン平均値が記憶される。
以上の動作で、原稿を読み取るとＦ／Ｆ４０６には、開始ライン位置から終了ライン位置までの範囲内にある１ライン平均値の最大値が記憶される。またＦ／Ｆ４０２には、その１ライン平均値の最大値が生じたとき副走査ライン位置が記憶される。
【０００９】
Ｆ／Ｆ４０２が出力する１ライン平均値が最大になる位置は、システムバス２１３を通してＣＰＵ２１０に送られる。この最大位置がセンター消去の中心位置（後述する図６のＭＣ）になる。センター消去幅（図６のＭＷ）は、操作部１０５から入力されてＲＡＭ２１２に記憶されている。
ＣＰＵ２１０は、センター消去幅（図６のＭＷ）とセンター消去の中心位置（図６のＭＣ）から消去開始（図６のＭＳ）と消去終了位置（図６のＭＥ）の計算を行う。
ＭＳ＝ＭＣ−ＭＷ／２
ＭＥ＝ＭＣ＋ＭＷ／２
さらに計算された消去開始位置（図６のＭＳ）と消去終了位置（図６のＭＥ）をマスク処理部２０２へシステムバス２１３を通して設定する。
マスク処理部２０２は、ＭＴＦフィルタ処理部２０１から画像データに対して指定された位置の消去処理を行ってγ変換処理部２０３へ送る。消去位置の指定は、消去開始位置（図６のＭＳ）と消去終了位置（図６のＭＥ）がＣＰＵ２１０からシステムバス２１３を通じて行われ、その範囲内にある画像データの消去を行う。
請求項３の発明に対応する実施例におけるマスク処理部２０２は、平均値算出部２０５から１ラインの平均値を入力する。指定された消去開始位置（図６のＭＳ）と消去終了位置（図６のＭＥ）の範囲内にある画像データに対して、１ラインの平均値を減算して出力する。
【００１０】
次に一般的なセンター消去と本発明によるセンター消去の違いを説明する。図５は一般的なセンター消去を表した図である。図５の斜線部分が消去領域で、その領域は、原稿サイズＬの半分Ｌ／２の位置を中心にして指定された消去幅ＭＷを消去する。
図６は本発明によるセンター消去を表した図である。図６の斜線部分が消去領域で、その領域の位置は固定されていない。消去領域の中心ＭＣが開始ラインＳから終了ラインＥまでの範囲の中にあり、ＭＣを中心として指定された消去幅ＭＷを消去する。消去の開始位置ＭＳは、ＭＳ＝ＭＣ−ＭＷ／２となり、消去の終了位置ＭＥは、ＭＥ＝ＭＣ＋ＭＷ／２となる。
図７から図９を参照して本発明が適用されたディジタル複写機を説明する。図７は読み取り原稿台の構成図である。原稿は読み取り面が下向きとなるように原稿台の上に置かれる。読み取りは、原稿台における読み取り原点７０１を基準にして行われる。原稿サイズ検知センサ７０２により原稿台の上に置かれた原稿の大きさを検知する。
図８は読み取り原稿と読み取り走査方向を示す図である。読み取り原稿の原点は原稿の左上で、原稿台における読み取り原点８０１に合わせて置かれる。原稿の読み取り面の主走査はＣＣＤイメージセンサ８０８により電子的に行われ、Ｌ１、Ｌ２、Ｌ３‥‥のラインデータを作成する。副走査方向の走査は原稿とＣＣＤイメージセンサ９０８との相対的な移動により機械的に行われる。
図９は読み取り光学系の構成図である。原稿の読み取り面が主走査方向に伸びた光源９０３により照明され、その反射光が第１ミラー９０４、第２ミラー９０５、第３ミラー９０６により順次反射され、レンズ９０７によりＣＣＤイメージセンサ９０８上に結像されて読み取られる。
【図面の簡単な説明】
【００１１】
【図１】本発明の実施形態に係る画像処理装置の概略ブロック図。
【図２】本発明の実施形態に係る画像処理装置の詳細ブロック図。
【図３】平均値算出部のブロック図。
【図４】最大位置値検知部のブロック図。
【図５】従来技術のセンター消去を行ったときの消去位置を示した図。
【図６】本発明によるセンター消去を行ったときの消去位置を示した図。
【図７】ディジタル複写機の原稿台の構成図。
【図８】原稿を走査する方向を示した図。
【図９】ディジタル複写機の読み取り光学系の構成図。
【符号の説明】
【００１２】
２０２  マスク処理部（センター消去手段）
２０５  平均値算出部（平均値算出手段）
２０６  最大位置検知部（最大位置検知手段）
２１０  ＣＰＵ（制御手段）
２１２  ＲＡＭ（記憶手段）
【図１】
2005303635.tif 000003
【図２】
2005303635.tif 000004
【図３】
2005303635.tif 000005
【図４】
2005303635.tif 000006
【図５】
2005303635.tif 000007
【図６】
2005303635.tif 000008
【図７】
2005303635.tif 000009
【図８】
2005303635.tif 000010
【図９】
2005303635.tif 000011